(57)【特許請求の範囲】
【請求項１】
電池を電源として燃焼部に点火する点火手段と、該電池の電圧を検出する電池電圧検出回路と、
前記電池を電源として前記燃焼部の作動を制御すると共に、前記電池電圧検出回路で検出された前記電池の電圧が第１基準電圧以下となったときに報知手段を作動させるＣＰＵと、
前記電池電圧検出回路で検出された前記電池の電圧が、前記第１基準電圧よりも低く、前記ＣＰＵの正常動作が保証される最低保証動作電圧以上に設定された第２基準電圧以下であるときは、前記ＣＰＵのリセット端子にロジック低レベルの信号を入力して前記ＣＰＵの作動を禁止し、前記電池電圧検出回路で検出された前記電池の電圧が該第２基準電圧よりも高いときには、前記ＣＰＵのリセット端子にロジック高レベルの信号を入力して前記ＣＰＵを作動させる作動禁止回路とを備えた燃焼装置において、
前記電池電圧検出回路で検出された前記電池の電圧が前記第２基準電圧以下となったときに、前記ＣＰＵの入力ポートに電圧低下信号を継続して出力する電圧低下信号出力回路を設け、
前記ＣＰＵは、前記作動禁止回路からリセット端子に入力される信号のレベルがロジック低レベルからロジック高レベルに切換わって作動の禁止が解除され、作動を再開するときに、該ＣＰＵの入力ポートに前記電圧低下信号出力回路から前記電圧低下信号が入力されているか否かを確認し、該電圧低下信号が入力されているときには前記報知手段を作動させることを特徴とする燃焼装置。
【請求項２】
前記作動禁止回路は、前記電池電圧検出回路で検出される前記電池の電圧が前記第２基準電圧以下となり、且つ、前記電圧低下信号出力回路から前記電圧低下信号が出力されているときに、前記ＣＰＵのリセット端子にロジック低レベルの信号を入力して前記ＣＰＵの作動を禁止することを特徴とする請求項１記載の燃焼装置。
【発明の詳細な説明】
【０００１】
【発明の属する技術の分野】
本発明は、電池を電源として作動する燃焼装置の電池交換時期の報知に関する。
【０００２】
【従来の技術】
従来、電池を電源として作動する燃焼装置が知られている。例えば電池を電源とするガスこんろにおいては、ＣＰＵ等により構成されて燃焼状態を制御する制御回路を備えた電子ユニットが電池を電源として作動すると共に、燃料ガスの供給電磁弁や、ガスバーナに点火するスパーカも電池を電源として作動する。
【０００３】
ここで、制御回路を構成するＣＰＵには、正常な動作を保証する電圧（最低保証動作電圧、例えば１．８Ｖ）が規定されている。そして、電池の電圧がＣＰＵの最低保証動作電圧よりも低くなると、ＣＰＵの誤動作等が生じて正常な燃焼状態の制御を行うことができなくなるおそれがある。
【０００４】
そのため、一般に、電子ユニットには電池の電圧を検出する電圧検出回路が設けられ、電池の電圧が最低保証動作電圧よりも若干高い電圧に設定された作動禁止電圧（例えば１．９Ｖ）以下となったときに、ＣＰＵの作動を禁止する作動禁止回路が設けられている。この禁止回路の働きにより、電池の電圧が最低保証動作電圧以下の状態でＣＰＵが作動し、ＣＰＵの誤動作により、正常な燃焼状態の制御が行われなくなることを防止している。
【０００５】
しかし、電池の電圧が前記作動禁止電圧以下となったときに、いきなりＣＰＵの作動を禁止すると、予備の電池がないときには、ガスこんろが使用できなくなって調理が中断されるため、使用者の使い勝手が悪い。そこで、電池の電圧が、前記作動禁止電圧よりも高い値に設定された電池交換電圧（例えば２．０Ｖ）以下となったときに、ＣＰＵがランプやブザー等の報知手段により使用者に電池の交換を促す報知を行い、電池の残存寿命に余裕がある段階で電池の交換が行われるようにしたガスこんろが知られている。
【０００６】
ここで、電池を電源とするガスこんろにおいては、上述したようにスパーカ等の点火手段も電池を電源として作動する。そして、電力消費の大きいスパーカを作動させると、電池の電圧が瞬間的に大きく低下する場合がある。
【０００７】
そのため、電池の残存寿命が短くなり、電池の出力能力が低下した状態でスパーカを作動させると、電池の電圧が瞬間的に前記電池交換電圧以下となる場合がある。この場合、スパーカの作動停止後に電池の電圧が前記電池交換電圧を超えるまで回復するときもあるが、電池の残存寿命が少ないことが明らかである。
【０００８】
そこで、一度でも電池の電圧が前記電池交換電圧以下となったときには、その後の電池の電圧の回復に拘わらず、ＣＰＵが電池の交換を促す報知を継続して（電池が交換されるまで）行うようにしたものもある。
【０００９】
これにより、調理中に電池の電圧が前記最低保証動作電圧以下となって、ガスこんろが使用不能となることを防止している。
【００１０】
しかし、電池の残存寿命が少なくなった状態でスパーカを作動させると、場合によっては電池の電圧が前記電池交換電圧よりも低い前記作動禁止電圧以下まで低下することがある。この場合には、前記作動禁止回路が作動してＣＰＵの作動が禁止されるため、上述したＣＰＵによる電池の交換を促す報知も行われない。
【００１１】
そして、スパーカの作動停止後に、電池の電圧が前記作動禁止電圧（例えば１．９Ｖ）を超えるまで回復し、前記作動禁止回路による禁止が解除されて前記制御回路が作動を再開したときに、電池の電圧が前記電池交換電圧（例えば２．０Ｖ）以下であれば、制御回路がそれを検出して報知を行うことができるが、電池の電圧が更に前記電池交換電圧を超えるまで回復していたときには、実際には電池の残存寿命が少ない状態であるにも拘わらず、電池の交換を促す報知がなされないという不都合があった。
【００１２】
【発明が解決しようとする課題】
本発明は、上記不都合を解消し、電池の残存寿命が少なくなったときに、確実に電池交換を促す報知を行うことができる燃焼装置を提供することを目的とする。
【００１３】
【課題を解決するための手段】
本発明は、上記目的を達成するため、電池を電源として燃焼部に点火する点火手段と、該電池の電圧を検出する電池電圧検出回路と、前記電池を電源として前記燃焼部の作動を制御すると共に、前記電池電圧検出回路で検出された前記電池の電圧が第１基準電圧以下となったときに報知手段を作動させるＣＰＵと、前記電池電圧検出回路で検出された前記電池の電圧が、前記第１基準電圧よりも低く、前記ＣＰＵの正常動作が保証される最低保証動作電圧以上に設定された第２基準電圧以下であるときは、前記ＣＰＵのリセット端子にロジック低レベルの信号を入力して前記ＣＰＵの作動を禁止し、前記電池電圧検出回路で検出された前記電池の電圧が該第２基準電圧よりも高いときには、前記ＣＰＵのリセット端子にロジック高レベルの信号を入力して前記ＣＰＵを作動させる作動禁止回路とを備えた燃焼装置において、前記電池電圧検出回路で検出された前記電池の電圧が前記第２基準電圧以下となったときに、前記ＣＰＵの入力ポートに電圧低下信号を継続して出力する電圧低下信号出力回路を設け、前記ＣＰＵは、前記作動禁止回路からリセット端子に入力される信号のレベルがロジック低レベルからロジック高レベルに切換わって作動の禁止が解除され、作動を開始するときに、該ＣＰＵの入力ポートに前記電圧低下信号出力回路から前記電圧低下信号が入力されているか否かを確認し、該電圧低下信号が入力されているときには前記報知手段を作動させることを特徴とする。
【００１４】
かかる本発明によれば、前記点火手段を作動させたときのように、前記電池から比較的大きな電力が取り出されて電池の電圧が前記第２基準電圧よりも低くなったときに、前記作動禁止回路により前記ＣＰＵの作動が禁止される。そして、前記ＣＰＵの作動が禁止されると、前記電池電圧検出回路で検出される前記電池の電圧が前記第１基準電圧以下であっても、前記報知手段は作動されない。
【００１５】
しかし、この場合、前記電圧低下信号出力回路から前記ＣＰＵに対して、前記電圧低下信号が継続して出力される。そのため、前記点火手段の作動が停止されて、前記電池の電圧が前記第２基準電圧を超えるまで回復して前記作動禁止手段による作動の禁止が解除され、前記ＣＰＵが作動を再開したときに、前記ＣＰＵは前記電圧低下信号出力回路からの前記電圧低下信号の出力の有無を確認することで、前記電池の電圧が前記第２基準電圧以下となる状態が生じていたことを確認することができる。
【００１６】
そして、瞬間的であっても、前記電池の電圧が前記第２基準電圧以下となる状態となったときは、前記電池の残存寿命が少なくなって該電池の出力能力が低下していると判断できる。そのため、前記ＣＰＵは、作動再開時に前記電圧低下信号が出力されていたときは、前記報知手段を作動させる。これにより電池の残存寿命が少なくなったことを使用者に確実に報知することができる。
【００１７】
また、前記作動禁止回路は、前記電池電圧検出回路で検出される前記電池の電圧が前記第２基準電圧以下となり、且つ、前記電圧低下信号出力回路から前記電圧低下信号が出力されているときに、前記ＣＰＵのリセット端子にロジック低レベルの信号を入力して前記ＣＰＵの作動を禁止することを特徴とする。
【００１８】
前記電圧低下信号出力回路や前記作動禁止回路は電子回路で構成されるが、電子回路を構成する電子部品には性能のばらつきがあるため、前記電池電圧検出回路で検出される前記電池の電圧が前記第２基準電圧以下となったときに、前記作動禁止回路による前記ＣＰＵの作動禁止が、前記電圧低下信号出力回路による前記電圧低下信号の出力開始よりも早く行われる場合が生じ得る。そして、この場合には、前記ＣＰＵの作動停止により電池の電圧が上昇し、前記電圧低下信号出力回路から前記電圧低下信号が出力されないおそれがある。
【００１９】
そこで、本発明では、前記作動禁止回路は、前記電圧低下信号出力回路から前記電圧低下信号が出力されているときにのみ、前記ＣＰＵの作動を禁止するようにしている。これにより、前記作動禁止回路による前記ＣＰＵの作動の禁止が解除されたときには、必ず前記電圧低下信号が出力された状態となるので、電池の交換を促す報知を確実に行うことができる。
【００２０】
【発明の実施の形態】
本発明の実施の形態の一例を、図１，図２を参照して説明する。図１は本発明の燃焼装置であるガスこんろの構成図、図２は図１に示したガスこんろに備えられた電子ユニットの回路構成図である。
【００２１】
図１を参照して、本実施の形態のガスこんろは、調理容器Ａに入れられた調理物Ｂを加熱するガスバーナ１と、ガスバーナ１に燃料ガスを供給するガス供給路２に設けられた安全弁３と、加熱量調節手段４と、安全弁３への通電やガスバーナ１の点火制御等を行う電子ユニット５と、操作手段６とを備える。
【００２２】
安全弁３は、使用者による点火／消火ボタン７の点火操作（押し操作）でバネ８に抗して機械的に開弁されると共に、電子ユニット５からコイル９への通電により開弁状態が保持され、電子ユニット５からコイル９への通電の遮断によりバネ８の付勢力で閉弁される。
【００２３】
加熱量調節手段４は、電子ユニット５からの通電のオン、オフにより開閉される電磁弁１０と、電磁弁１０を迂回し、燃料ガスの供給流量が主ガス供給路１１よりも小さいバイパス路１２とからなる。電磁弁１０を開弁状態から閉弁状態に切換えると、それまで安全弁３の下流で分岐した主ガス供給路１１とバイパス路１２の双方を経由してガスバーナ１に供給されていた燃料ガスが、バイパス路１２のみによって行われるようになるので、ガスバーナ１への燃料ガスの供給流量が減少する。そのため、ガスバーナ１の加熱量を減少させることができる。
【００２４】
また、点火／消火スイッチ７が押し下げ操作されると、マイクロスイッチ２０がＯＮ（閉）し、該マイクロスイッチ２０のＯＮに応じて電子ユニット５が作動を開始する。
【００２５】
電子ユニット５は、電池１３を電源として作動し、制御回路１４，作動禁止回路１５，及び電圧低下信号出力回路１６を備える。制御回路１４は、電池１３からの電源供給が開始されると、先ずスパーカ２６（本発明の点火手段に相当）を介して点火電極２５に火花放電を生じさせ、ガスバーナ１の点火処理を行う。
【００２６】
そして、制御回路１４は、操作手段６の保温スイッチ２１が操作されて調理物Ｂの保温指示がなされているときは、温度センサ１７により検出される調理物Ｂの温度が、操作手段６に備えられた保温温度設定スイッチ１８により設定された目標保温温度と略一致するように、加熱量調節手段４によりガスバーナ１の加熱量を調節する。
【００２７】
また、制御回路１４は、ガスバーナ１の燃焼状態を検出する炎センサ１９により、ガスバーナ１の失火を検出したときは、安全弁３のコイル９への通電を遮断して安全弁３を閉弁し、ブザー２２（本発明の報知手段に相当）により使用者に失火の発生を報知する。
【００２８】
さらに、制御回路１４は、電池１３の電圧が低下して交換時期となったときには、電池交換ランプ２４（本発明の報知手段に相当）を点滅又は点灯させて、使用者に電池１３の交換を促す報知を行う。
【００２９】
次に、図２を参照して、本実施の形態のガスこんろにおける電池１３の交換時期の報知処理について説明する。
【００３０】
図２は、図１に示した電子ユニット５の要部を示した回路構成図である。ＣＰＵ３０は入出力ポートを備え、図示しないＲＯＭ，ＲＡＭ等の記憶手段と共に制御回路１４を構成する。ＣＰＵ３０は、出力ポートＰ１  ，Ｐ２  からの出力によりトランジスタ３１，３２を介して安全弁３の開弁保持と閉弁を行い、出力ポートＰ９  からの出力によりスパーカ２６を介して点火電極２５に火花放電を生じさせ、出力ポートＰ３  ，Ｐ４  からの出力により電磁弁駆動ＩＣ３３を介して電磁弁１０を開閉する。
【００３１】
ここで、本実施の形態のＣＰＵ３０の最低保証動作電圧は１．８Ｖに規定されているため、電池１３の電圧が１．８Ｖ以下となるとＣＰＵが誤動作するおそれがある。そのため、ＣＰＵ３０は電池１３の電圧を１．９Ｖ（本発明の第２基準電圧に相当）、２．０Ｖ（本発明の第１基準電圧に相当）、２．２Ｖ（本発明の第１基準電圧に相当）の３段階で監視し、それぞれの電圧レベルに応じて電池１３の交換を促す報知を行う。尚、使用開始時の電池１３の電圧は約３Ｖである。
【００３２】
コンパレータ３５は、電池１３の電圧が２．２Ｖまで低下したことを検知するためのものであり、レギュレータ３４により生成された１．５Ｖの安定電圧を抵抗３６，３７で分圧した電圧が基準電圧として正入力端子に入力され、電池１３の出力電圧を抵抗３８，３９で分圧した電圧（電池１３の電圧に応じて変化する）が比較電圧として負入力端子に入力される。尚、コンパレータ３５と抵抗３６〜３９により本発明の電池電圧検出回路が構成される。
【００３３】
そして、抵抗３６〜３９の抵抗値は、電池１３の電圧が２．２Ｖ以下となったときに、コンパレータ３５の出力が０Ｖからハイインピーダンス状態に切り替わるように設定され、コンパレータ３５の出力端子は抵抗４０を介してプルアップされている。そのため、電池１３の電圧が２．２Ｖ以下となると、ＣＰＵの入力ポートＰ７  への入力レベルが０Ｖ（ロジック低レベル）からロジック高レベルに切り替わる。
【００３４】
ＣＰＵ３０は、入力ポートＰ７  への入力レベルがロジック高レベルとなり、電池１３の電圧が２．２Ｖ以下となったことを認識したときは、出力ポートＰ５  から間欠的に０Ｖを出力して電池交換ランプ２４を点滅させる（第１の報知）。この電池交換ランプ２４の点滅により、使用者に、電池１３が交換時期となったことを認識させることができる。尚、電池交換ランプ２４には、電流制限抵抗６３が直列接続されている。
【００３５】
また、コンパレータ４１は、電池１３の電圧が２．０Ｖまで低下したことを検知するためのものであり、レギュレータ３４により生成された１．５Ｖの安定電圧を抵抗４２，４３で分圧した電圧が基準電圧として正入力端子に入力され、電池１３の出力電圧を抵抗４４，４５で分圧した電圧（電池１３の電圧に応じて変化する）が比較電圧として負入力端子に入力される。尚、コンパレータ４１と抵抗４２〜４５により本発明の電池電圧検出回路が構成される。
【００３６】
そして、抵抗４２〜４５の抵抗値は、電池１３の電圧が２．０Ｖ以下となったときに、コンパレータ４１の出力が０Ｖからハイインピーダンス状態に切り替わるように設定され、コンパレータ４１の出力端子は抵抗４６を介してプルアップされている。そのため、電池１３の電圧が２．０Ｖ以下となると、ＣＰＵの入力ポートＰ８  への入力レベルが０Ｖ（ロジック低レベル）からロジック高レベルに切り替わる。
【００３７】
ＣＰＵ３０は、入力ポートＰ８  への入力レベルがロジック高レベルとなり、電池１３の電圧が２．０Ｖ以下となったことを認識したときは、出力ポートから連続的に０Ｖを出力して電池交換ランプ２４を点灯させる（第２の報知）。この電池交換ランプ２４の点灯により、使用者に、電池１３を直ちに交換する必要があることを認識させることができる。
【００３８】
ここで、電池１３の残存寿命が少なくなった状態で、スパーカ２６や電磁弁１０のように消費電力が大きいものを作動させると、電池１３の電圧が２．２Ｖ以下となったり、さらに２．０Ｖ以下となったりする場合がある。この場合、スパーカ２６や電磁弁１０の作動低下後に電池１３の電圧が２．２Ｖ、或いは２．０Ｖを超えるまで回復することがある。
【００３９】
しかし、このように電池１３の電圧が低下したときは、電池の残存寿命が少なく、電池１３の出力能力が低下していることが明らかである。そこで、ＣＰＵ３０はコンパレータ３５からの出力により電池１３の電圧が２．２Ｖ以下となったこと、或いはコンパレータ４１からの出力により電池４１の電圧が２．０Ｖ以下となったことを認識したときには、その後のコンパレータ３５或いはコンパレータ４１の出力に拘わらず、前記第１の報知又は前記第２の報知を継続して行う。
【００４０】
次に、コンパレータ４７は、電圧検知ＩＣ４８（本発明の電池電圧検出回路に相当），バッファアンプ５０，６１及び抵抗５１〜５５と共に電圧低下信号出力回路１６を構成する。ここで、コンパレータ４７の正入力端子に入力される基準電圧ＶＢ  は、コンパレータ４７の出力に応じて切り替わる。
【００４１】
即ち、コンパレータ４７の出力が０Ｖであるときは、
ＶＢ１＝（Ｒ５４・Ｒ５５）／｛Ｒ５４・Ｒ５５＋Ｒ５３（Ｒ５４＋Ｒ５５）｝
＝Ｒ５４／（Ｒ５４＋Ｒ５３＋Ｒ５４／Ｒ５５）・１．５（Ｖ）となり、
コンパレータ４７の出力がハイインピーダンス状態であるときには、
ＶＢ２＝Ｒ５４／（Ｒ５３＋Ｒ５４）・１．５（Ｖ）  （＞ＶＢ１）    となる。
（Ｒ５３〜Ｒ５５はそれぞれ抵抗５３〜５５の抵抗値）
一方、コンパレータ４７の負入力端子には、バッファアンプ５０を介した電圧検知ＩＣ４８の出力が、抵抗５１，５２で分圧されて入力される。電圧検知ＩＣ４８は、電池１３の電圧が１．９Ｖ以下となったときに、出力がハイインピーダンス状態から０Ｖに切り替わるものである。そして、電圧検知ＩＣ４８の出力端子は抵抗４９により１．５Ｖにプルアップされているため、電池１３の電圧が１．９Ｖ以下となると、バッファアンプ５０への入力電圧が０Ｖから１．５Ｖに切り替わり、それに応じてバッファアンプ５０の出力電圧も０Ｖから１．５Ｖに切り替わる。
【００４２】
そして、抵抗５１〜５５の抵抗値は、電池１３の電圧が１．９Ｖ以下となったとき、即ちバッファアンプ５０の出力が１．５Ｖから０Ｖに切り替わったときに、コンパレータ４７の出力が０Ｖからハイインピーダンス状態に切り替わるように設定されている。ここで、上述したように、コンパレータ４７の出力が０Ｖからハイインピーダンス状態に切り替わると、コンパレータ４７の正入力端子への入力電圧がＶＢ１からＶＢ２に上昇する。
【００４３】
そして、抵抗５５の抵抗値は、一度電池１３の電圧が１．９Ｖ以下となったときは、その後、電池１３の電圧が１．９Ｖを超えるまで回復してバッファアンプ５０の出力が０Ｖから１．５Ｖに切り替わっても、コンパレータ４７の負入力端子への入力電圧が、ＶＢ２を超えないように設定されている。
【００４４】
そのため、一度電池１３の電圧が１．９Ｖ以下となったことが検知されると、電圧低下信号出力回路１６を構成するコンパレータ４７の出力は継続してハイインピーダンス状態となる。ここで、コンパレータ４７の出力がハイインピーダンス状態となると、バッファアンプ６１への入力電圧が、０ＶからＲ53／Ｒ54・１．５Ｖ（Ｒ53，Ｒ54はそれぞれ抵抗５３，５４の抵抗値）に切り替わり、抵抗６２によりプルアップされたバッファアンプ６１の出力が０Ｖからロジック高レベルに切り替わる。これにより、ＣＰＵ３０の入力ポートＰ0に、ロジック高レベルの信号（本発明の電圧低下信号に相当）が継続して出力される。
【００４５】
尚、マイクロスイッチ２０がＯＦＦ（開）され、電圧低下信号出力回路１６への電源供給が遮断されたときに、電圧低下信号出力回路１６からＣＰＵ３０への電圧低下信号の継続出力が解除される。
【００４６】
また、ＡＮＤ素子５７は、電圧検知ＩＣ４８，反転素子５６，５８，抵抗５９，及びコンデンサ６０と共に作動禁止回路１５を構成する。電圧検知ＩＣ４８が電池１３の電圧が１．９Ｖ以下となったことを検知して、電圧検知ＩＣ４８の出力がハイインピーダンス状態から０Ｖに切り替わると、反転素子５６からの出力が０Ｖからロジック高レベルに切り替わる。
【００４７】
そして、このとき、上述したように、バッファアンプ６１の出力はロジック高レベルであるため、ＡＮＤ素子５７の２つの入力端子には共にロジック高レベルの電圧が入力される。そのため、ＡＮＤ素子５７からの出力がロジック高レベルとなって、反転素子５８からロジック低レベル信号（リセット信号）が出力される。
【００４８】
即ち、電池１３の電圧が１．９Ｖ以下となると、作動禁止回路１５からＣＰＵ３０のリセット端子への出力レベルが、ロジック高レベルからロジック低レベルに切り替わり、ＣＰＵ３０及びＣＰＵ３０により構成される制御回路１４の作動が禁止される。
【００４９】
ＣＰＵ３０の作動が禁止されると、ＣＰＵ３０の出力ポートＰ１  ，Ｐ２  ，Ｐ３  〜Ｐ６  ，及びＰ９  からの出力がロジック高レベルとなるので、トランジスタ３１，３２がＯＦＦされてコイル９への通電が遮断され、図１に示した安全弁３が閉弁され、図１に示したガスバーナ１は消火される。そして、ＣＰＵ３０の作動が禁止されるので、ＣＰＵ３０の誤動作が防止される。
【００５０】
次に、例えば電池１３が２．２Ｖ付近まで低下した状態でスパーカ２６を作動させると、電池１３の電圧が瞬間的に１．９Ｖ以下となることが生じ得る。この場合、上述したように、電圧低下信号出力回路１６からＣＰＵ３０の入力ポートＰ0にロジック高レベルの電圧低下信号が出力されると共に、作動禁止回路１５からＣＰＵ３０のリセット端子にロジック低レベルのリセット信号が出力され、ＣＰＵ３０の作動が禁止される。
【００５１】
この場合、スパーカ２６の作動停止後に、電池１３の電圧が１．９Ｖを越えるレベルまで回復すると、作動禁止回路１５からの出力がロジック低レベルからロジック高レベルに切り替わるため、ＣＰＵ３０の作動禁止が解除されて、ＣＰＵ３０が作動を再開する。一方、電圧低下信号出力回路１６からＣＰＵ３０の入力ポートＰ０には、上述したように電圧低下信号が継続して出力されている。
【００５２】
そのため、ＣＰＵ３０は、作動を再開するときに、入力ポートＰ0に電圧低下信号出力回路１６から電圧低下信号が入力されているか否かを確認することで、作動の再開前に電池１３の電圧が１．９Ｖ以下となっていたか否かを認識する。そして、電圧低下信号が入力されていたときには、電池１３の残存寿命が極めて少ないと想定されるため、ＣＰＵ３０は、電池交換ランプ２４を点灯させると共に、ブザー２２を鳴動させて、使用者に電池１３の交換を強く促す。
【００５３】
これにより、ＣＰＵ３０の作動再開時に、電池１３の電圧が１．９Ｖからさらに２．２Ｖを超えるまで回復し、前記第１の報知及び前記第２の報知がなされない状態であっても、ＣＰＵ３０により電池１３の交換を促す報知を確実に行うことができる。
【００５４】
尚、本実施の形態では、作動禁止回路１５にＡＮＤ素子５７を設け、電圧低下信号出力回路１６から電圧低下信号が確実に出力された後に、作動禁止回路１５からＣＰＵ３０にリセット信号を出力するようにしたが、電圧低下信号出力回路１６からの電圧低下信号の出力タイミングと、作動禁止回路１５からのリセット信号の出力タイミングとのずれが問題とならない場合には、ＡＮＤ素子５７を使用せず、反転素子５６の出力を直接反転素子５８に入力するようにしてもよい。
【００５５】
また、本実施の形態では、電池１３の電圧が２．２Ｖ及び２．０Ｖ以下となったことを検知するためにコンパレータ３５及び４１を用いたが、電圧検知ＩＣ４８と同様の電圧検知ＩＣを用いて検知するようにしてもよい。
【００５６】
また、本実施の形態では、燃焼装置としてガスこんろを例に説明したが、ガス瞬間湯沸かし器のような他のガス器具や、灯油を燃料とする燃焼装置に対しても本発明の適用が可能である。
【図面の簡単な説明】
【図１】本実施の形態のガスこんろの構成図。
【図２】図１のガス調理器に備えた電子ユニットの回路構成図。
【符号の説明】
１…ガスバーナ、２…ガス供給路、３…安全弁、４…加熱量調節手段、５…電子ユニット、６…操作手段、７…点火／消火スイッチ、８…バネ、９…コイル、１０…電磁弁、１１…主ガス供給路、１２…バイパス路、１３…電池、１４…制御回路、１５…作動禁止回路、１６…電圧低下信号出力回路、１７…温度センサ、１８…保温温度設定手段、１９…炎センサ、２０…マイクロスイッチ、２１…保温スイッチ、２２…ブザー、２３…保温ランプ、２４…電池交換ランプ、２５…点火電極、２６…スパーカ、３０…ＣＰＵ、３４…レギュレータ、３５，４１，４７…コンパレータ、４８…電圧検知ＩＣ、Ａ…調理容器、Ｂ…調理物
【図１】
0003588245.tif 000002
【図２】
0003588245.tif 000003